(57)【特許請求の範囲】
【請求項１】
破砕機（Ｃ）の排出口（１５）を、排出口カバー（１６）により覆ってなる破砕装置において、
前記排出口カバー（１６）の壁面に爆風口（３０）を開口し、この爆風口（３０）に複数の通気口（３２）を有する骨部材（３１；１３１；２３１）を固着し、この骨部材（３１；１３１；２３１）には、その骨部材（３１；１３１；２３１）の外側に隣接配置されて前記爆風口（３０）を閉塞する蓋板（３４）を、前記通気口（３２）を貫通する係止部材（３５）により係止し、
前記破砕装置内の爆風発生時に、前記係止部材（３５）もしくは蓋板（３４）の破断による前記蓋板（３４）の、前記骨部材（３１；１３１；２３１）からの外れにより、前記爆風口（３０）を開口するようにしたことを特徴とする、破砕装置の爆風排除装置。
【請求項２】
破砕機（Ｃ）の排出口（１５）の下方に、搬出用コンベア（１８）を配設し、前記排出口（１５）を排出口カバー（１６）により、また前記搬出用コンベア（１８）をコンベアカバー（１７）によりそれぞれ覆ってなる破砕装置において、
前記コンベアカバー（１７）の壁面に爆風口（３０）を開口し、この爆風口（３０）に複数の通気口（３２）を有する骨部材（３１；１３１；２３１）を固着し、この骨部材（３１；１３１；２３１）には、その骨部材（３１；１３１；２３１）の外側に隣接配置されて前記爆風口（３０）を閉塞する蓋板（３４）を、前記通気口（３２）を貫通する係止部材（３５）により係止し、
前記破砕装置内の爆風発生時に、前記係止部材（３５）もしくは蓋板（３４）の破断による前記蓋板（３４）の、前記骨部材（３１；１３１；２３１）からの外れにより、前記爆風口（３０）を開口するようにしたことを特徴とする、破砕装置の爆風排除装置。
【請求項３】
前記骨部材（３１）は、格子状の網目部材により構成したことを特徴とする、前記請求項１または２記載の破砕装置の爆風排除装置。
【請求項４】
前記蓋板（３４）は、軟質性のゴム部材により構成したことを特徴とする、前記請求項１または２記載の破砕装置の爆風排除装置。
【発明の詳細な説明】
【０００１】
【発明の属する技術分野】
本発明は、破砕装置内の廃棄物中に含まれる可燃性気体等の爆発燃焼により発生する爆風を、破砕装置の外に排出するようにした、破砕装置の爆風排除装置に関する。
【０００２】
【従来の技術】
従来、破砕装置にて破砕処理する廃棄物中には、可燃性の気体の残留した、ガスボンベや塗料缶などが混在しているため、廃棄物の破砕処理時に、その廃棄物の発火がその気体に引火し、これが爆発燃焼して、破砕機内に爆風が発生し、その爆風が破砕機の排出口を覆う排出口カバーや搬出用コンベアを覆うコンベアカバー内にも波及して、これらのカバー（破砕機の破砕容器よりも薄肉材料で構成される）を変形、損傷させるという弊害があった。
【０００３】
そこで、前記カバーの壁面に爆風扉を設け、爆風の発生時には、その爆風扉の開放により、その爆風を外部に放出するようにしたものが既に提案されている（特開昭５６−１２１６４６号公報参照）。
【０００４】
【発明が解決しようとする課題】
ところが、前記従来の爆風扉は、これが爆風を受ける都度、損傷、破損して、その再使用が困難であり、その上、その修復に手間がかかり、コスト増を招き、さらに破砕装置の稼働時間を短くして、破砕能率の低下の原因になるという問題がある。
【０００５】
本発明は、かかる実情に鑑みてなされたもので、前記問題を解決できるようにした新規な破砕装置の爆風排除装置を提供することを目的とするものである。
【０００６】
【課題を解決するための手段】
上記目的を達成するため、本請求項１記載の発明によれば、破砕機の排出口を、排出口カバーにより覆ってなる破砕装置において、前記排出口カバーの壁面に爆風口を開口し、この爆風口に複数の通気口を有する骨部材を固着し、この骨部材には、その骨部材の外側に隣接配置されて前記爆風口を閉塞する蓋板を、前記通気口を貫通する係止部材により係止し、前記破砕装置内の爆風発生時に、前記係止部材もしくは蓋板の破断による前記蓋板の、前記骨部材からの外れにより、前記爆風口を開口するようにしたことを特徴としており、かかる特徴によれば、前記排出口カバーの、爆風による変形を未然に防止することができ、その上、蓋板は、その任意の位置で骨部材の通気口を貫通する係止部材により、骨部材に係止することができて、その取付作業が簡単容易となり、さらに骨部材は、爆風をうけても損傷、破損することがなく、何度も使用が可能である。
【０００７】
また、上記目的を達成するため、本請求項２記載の発明によれば、破砕機の排出口の下方に、搬出用コンベアを配設し、前記排出口を排出口カバーにより、また前記搬出用コンベアをコンベアカバーによりそれぞれ覆ってなる破砕装置において、前記コンベアカバーの壁面に爆風口を開口し、この爆風口に複数の通気口を有する骨部材を固着し、この骨部材には、その骨部材の外側に隣接配置されて前記爆風口を閉塞する蓋板を、前記通気口を貫通する係止部材により係止し、前記破砕装置内の爆風発生時に、前記係止部材もしくは蓋板の破断による前記蓋板の、前記骨部材からの外れにより、前記爆風口を開口するようにしたことを特徴としており、かかる特徴によれば、前記コンベアカバーの、爆風による変形を未然に防止することができ、その上、蓋板は、その任意の位置で骨部材の通気口を貫通する係止部材により、骨部材に係止することができて、その取付作業が簡単容易となり、さらに骨部材は、爆風をうけても損傷、破損することがなく、何度も使用が可能である。
【０００８】
さらに、上記目的を達成するため、本請求項３記載の発明によれば、前記請求項１または２記載のものにおいて、前記骨部材は、格子状の網目部材により構成したことを特徴としており、かかる特徴によれば、前記請求項１または２記載のものと同等の効果を達成する上に、骨部材の製作およびその爆風口への取付が容易である。
【０００９】
さらにまた、上記目的を達成するため、本請求項４記載の発明によれば、前記請求項１または２記載のものにおいて、前記蓋板は、軟質性のゴム部材により構成したことを特徴としており、かかる特徴によれば、前記請求項１または２記載のものと同等の効果を達成する上に、蓋板を安価に提供することができ、また骨部材への取付が容易である。
【００１０】
【発明の実施の形態】
本発明の実施の形態を、添付図面に例示した本発明の実施例に基づいて以下に具体的に説明する。
【００１１】
まず、図１〜４を参照して、本発明の第１実施例について説明するに、図１は、本発明爆風排除装置を備えた破砕装置の一部破断全体図、図２は、図１の２−２線に沿う拡大縦断面図、図３は、図２の３線矢視の、爆風排除装置の背面図、図４は、爆風の発生時に、蓋板が外れた状態を示す、図２と同じ図である。
【００１２】
図１において、建造物などのコンクリート基礎Ｆには、破砕装置が装備される。この破砕装置の主たる部分を構成する破砕機Ｃは、破砕ドラム１を備えており、この破砕ドラム１は、鉛直方向に延びる円筒状容器２と、その上縁に一体に接続される漏斗状のホッパ３とより構成されている。破砕ドラム１内には、破砕軸４が鉛直方向に回転自在に支承され、この破砕軸４には、その軸方向に間隔をあけて多数の円板５が固着され、これらの円板５の外周部には、複数のハンマ６が回転自在に軸支されている。破砕軸４の下端には、ベルト伝動機構８を介して電動モータ７が連動連結されており、この電動モータ７の駆動により、破砕軸４が回転駆動され、破砕機Ｃが作動される。
【００１３】
前記ホッパ３の上面一側には投入口１０が開口され、この投入口１０は投入口カバー１１により覆われており、この投入口カバー１１は投入口１０から上方に向けて延長されている。また、投入口カバー１１の、前記破砕機Ｃと反対側の側面には、搬入口１２が開口されており、この搬入口１２に、搬入用コンベア１３の搬出側が臨んでおり、搬入用コンベア１３により搬送されてくる廃棄物すなわち被破砕物は、搬入口１２より投入口カバー１１内に落下し、そこから投入口１０を通って破砕機Ｃ内に投入され、ここで電動モータ７の駆動により回転されるハンマ６群により破砕される。
【００１４】
破砕ドラム１の下部側面には、排出口１５が開口され、この排出口１５は排出口カバー１６により覆われている。この排出口カバー１６は、破砕ドラム１の側方に延長されており、その開口下端にコンベアカバー１７の入口が接続されており、このコンベアカバー１７は破砕ドラム１の側方へと延びている。
【００１５】
破砕機Ｃの下方の基礎Ｆには、ピットＰが形成され、このピットＰ内には、前記コンベアカバー１７の開口下面に沿って搬出用コンベア１８が配設されている。そして、この搬出用コンベア１８と、前記排出口カバー１６間は、コンベアカバー１７により覆われており、破砕機Ｃにより破砕された、廃棄物は、排出口カバー１６およびコンベアカバー１７を経て搬出用コンベア１８の搬入部上に落下して外部に搬出され、その際に、発生する粉塵の外部への飛散は、前記コンベアカバー１７により防止される。
【００１６】
前記破砕機Ｃの上部には、前記投入口１０の閉塞状態、破砕機Ｃの破砕状況などを監視するため、点検装置Ｉが配備されており、この点検装置Ｉは、破砕機Ｃの内部を撮影するテレビ用の監視カメラ２０と、破砕機Ｃの内部を照らす一対の照明灯２１とより構成されている。
【００１７】
なお、図１中、２２は、破砕機Ｃの側方において、基礎Ｆ上に設けた作業台であり、２３は、ホッパ３の上部に設けた跳ね出し口カバーである。
【００１８】
前記排出口カバー１６およびコンベアカバー１７の壁面には、一個または複数個の、爆風排除装置Ｅが設けられる。それらの爆風排除装置Ｅは何れも同じ構造であるので、以下に、図２〜４を参照して排出口カバー１６に設けた爆風排除装置Ｅの構造について説明すると、排出口カバー１６の壁面には、四角な爆風口３０が開口され、この爆風口３０には、全面にわたって通気口３２を有する骨部材３１が固定される。
【００１９】
この骨部材３１は、縦棒３１1 と横棒３２2 とを格子状に組付けてなる網目たとえば金網により構成されており、爆風を受けても変形することのない剛性を有する。排出口カバー１６の壁面の外側には、前記爆風口３０を縁取るように取付枠３３が固定され、この取付枠３３と前記排出口カバー１６の壁面間に、爆風口３０を覆う、軟質性のゴム板よりなる蓋板３４の周囲が取り付けられる。蓋板３４の中間部の複数の任意個所は、骨部材３１の通気口３２を貫通する針金、紐、引っ掻け片などの係止部材３５により、骨部材３１にスポット状に係止される。而して前記係止部材３５は、爆風を受けて破断し得るほどの物性をもつものが使用される。
【００２０】
つぎに、この実施例の作用について説明するに、先ず搬入用コンベア１３により、廃棄物すなわち被破砕物は、投入口１０より破砕ドラム１内に投入され、破砕ドラム１内では、電動モータ７により回転されるハンマ６群による打撃により破砕処理される。そして破砕処理後の廃棄物は、排出口１６から排出口カバー１６およびコンベアカバー１７を通って搬出用コンベア１８により外部に排出される。
【００２１】
ところで、廃棄物の破砕処理中において、廃棄物に混在する、ガスボンベや塗料缶等に残留していた可燃性の気体が、破砕処理時の廃棄物の発火により引火して爆発燃焼し、その際に、破砕機Ｃ内に爆風が発生して、その爆風は破砕ドラム１から排出口カバー１６、さらにコンベアカバー１７にも波及して、それらの壁面に設けた前記爆風排除装置Ｅに作用する。そして、その爆風は、図４に示すように、蓋板３４を骨部材３１に係止している複数の係止部材３５もしくは軟質性の蓋板３４を破断するに至り、この蓋板３４は、骨部材３１から外れて、爆風口３０を開口し、爆風を大気に逃がすことができる。これにより、爆風圧力により排出口カバー１６、コンベアカバー１７の壁面（破砕ドラムの壁面より薄肉）が変形するのを未然に防止することができる。
【００２２】
また、破砕処理中に、破砕装置内に負圧が発生しても、蓋板３４は、骨部材３１の外面にて支持されるので、その蓋板３４が凹むことがない。
【００２３】
つぎに、図５を参照して本発明の第２実施例について説明するに、図５は、爆風排除装置の一部破断の背面図であり、前記第１実施例と同じ部材には、同じ符号が付される。
【００２４】
この第２実施例は、骨部材の構造が、前記第１実施例のものと相違しているが、その他の構成において第１実施例のものと同じである。
【００２５】
金属製の骨部材１３１は、互いに平行に並列される複数本の横棒１３１2 の両端を左右の縦棒１３１1 に固着して構成されており、各横棒１３１2 にゴム製の蓋板３４が、係止部材３５により係止される。
【００２６】
而して、この骨部材１３１も前第１実施例の骨部材３１と同等の機能を有する。
【００２７】
つぎに、図６を参照して本発明の第３実施例について説明するに、図６は、爆風排除装置の一部破断の背面図であり、前記第１実施例と同じ部材には、同じ符号が付される。
【００２８】
この第３実施例も、骨部材の構造が、前記第１実施例のものと相違しているが、その他の構成において第１実施例のものと同じである。
【００２９】
金属製の骨部材２３１は、パンチングメタル、すなわち金属板２３１1 に、多数のパンチ２３１2 を開口して構成されている。
【００３０】
而して、この骨部材２３１も前記第１実施例の骨部材３１と同等の機能を有する。
【００３１】
なお、爆風排除装置Ｅは、投入口カバー１１の壁面にも設けるようにしてもよい。
【００３２】
以上、本発明の第１〜３実施例について説明したが、本発明はそれらの実施例に限定されることなく、本発明の範囲内で種々の実施例が可能である。
【００３３】
たとえば、骨部材は、金網、棒体、パンチングメタルに代えて多孔板、ポーラス体など他の同効物により構成してもよく、また、蓋板は、ゴム板に代えて合成樹脂板など他の同効物により構成してもよく、さらに前記係止部材は、針金、紐、引っ掻け部に代えて糸条など、他の同効物により構成してもよく、さらにまた、爆風口は、四角形に代えて円形など他の形状に形成してもよい。
【００３４】
【発明の効果】
以上のように本請求項１記載の発明によれば、破砕機の排出口を覆う排出口カバーの、爆風による変形を未然に防止することができ、その上、蓋板は、その任意の位置で骨部材の通気口を貫通する係止部材により、骨部材に係止することができるから、その取付作業が簡単容易となり、さらに骨部材は、爆風をうけても損傷、破損することがなく、何度も使用が可能である。また破砕処理中に、破砕装置内に負圧が発生しても、蓋板は、骨部材の外面にて支持されるので、その蓋板が凹むことがない。
【００３５】
また、本請求項２記載の発明によれば、排出用コンベアを覆うコンベアカバーの、爆風による変形を未然に防止することができ、その上、蓋板は、その任意の位置で骨部材の通気口を貫通する係止部材により、骨部材に係止することができるから、その取付作業が簡単容易となり、さらに骨部材は、爆風をうけても損傷、破損することがなく、何度も使用が可能である。また破砕処理中に、破砕装置内に負圧が発生しても、蓋板は、骨部材の外面にて支持されるので、その蓋板が凹むことがない。
【００３６】
さらに、本請求項３記載の発明によれば、前記請求項１または２記載のものと同等の効果を達成する上に、骨部材の製作およびその爆風口への取付が容易である。
【００３７】
さらにまた、本請求項４記載の発明によれば、前前記請求項１または２記載のものと同等の効果を達成する上に、蓋板を安価に提供することができ、また骨部材への取付が容易である。
【図面の簡単な説明】
【図１】  爆風排除装置を備えた破砕装置の一部破断全体図（第１実施例）
【図２】  図１の２−２線に沿う拡大縦断面図
【図３】  図２の３線矢視の、爆風排除装置の背面図
【図４】  爆風の発生時に、蓋板が外れた状態を示す、図２と同じ図
【図５】  爆風排除装置の一部破断背面図（第２実施例）
【図６】  爆風排除装置の一部破断背面図（第３実施例）
【符号の説明】
１５・・・・・・排出口
１６・・・・・・排出口カバー
１７・・・・・・コンベアカバー
１８1 ・・・・・搬出用コンベア
３０・・・・・・爆風口
３１・・・・・・骨部材
３２・・・・・・通気口
３４・・・・・・蓋板
３５・・・・・・係止部材
１３１・・・・・骨部材
２３１・・・・・骨部材
Ｃ・・・・・・・破砕機
【図１】
0003845232.tif 000002
【図２】
0003845232.tif 000003
【図３】
0003845232.tif 000004
【図４】
0003845232.tif 000005
【図５】
0003845232.tif 000006
【図６】
0003845232.tif 000007